(57)【要約】      （修正有）【課題】さまざまなエネルギーの発生にともなう公害物質の発生は、地球規模で環境破壊を起こしています。本発明は、公害物質の出ないエネルギーの発生を目的に研究したものである。【解決手段】私の研究テーマは、水中内の物体にかかる重力を研究したものである。頭部に異なった複数の面をもつ移動物体にうける水圧と水量の重さを力のモーメント的バランスを利用した動力発生方法である。したがって、地球にやさしい動力の発生なのである。【選択図】  図３
2004360665.tif 000002
【特許請求の範囲】
【請求項１】
図１に示すのは、水面１９をもった水槽２０の底部に、Ｅに示す構造の移動物体４を、水深ａに示す位置に動設する。（寸法線に数値が示されているが、本原理の説明において、参考のために入れたものである。）このとき、移動物体４の一方の面積に水圧ｔをうける、さらに、もう一方の面積にも水圧ｕをうける。そして、この水圧ｕ、ｔの値は水深ａにおいては同じ値を示すのである。つまり移動物体４は水中内のこの位置で停止することを示している。さらに、この位置を基準に上部に移動した時には下向きの力をうける。また、下部に移動すると上向きの力をうけるのである。
次に、図２に示しているものは、同じ構造の移動物体４を、水面１９をもつ水槽２０の上部と下部に、かつ、図に示した位置に動設したものである。
このとき移動物体ＦとＧは距離ｖであるとき、水圧の作用での力ｓとｓ〃をうける。さらに、移動物体ＨとＪは距離ｘであるとき、水圧の作用で力ｒとｒ〃をうけるのである。また、距離ｗの場合を想定したときには停止の状態を示すのである。そして、距離ｗにおいて上下の移動物体を移動したときに使われるエネルギー量はその移動に伴う機械的および液体の移動の抵抗量に比例したものである。さらに、距離ｘとｖにおいて移動に使用したエネルギー量は、移動に伴う液体の移動量に比例したものである。
図３は、図１と２の作用を組み合わせて、動力の発生原理を示した装置である。図Ａを用いる。一方の端に移動物体４を動設され、もう一方の端に移動物体６を固定された水槽２と、同じように移動物体６、７を設けた水槽３を上下の位置ｍで連結金具１１を用いて合体する。同時に、移動物体４、７を図に示す位置にセットする。さらに、それぞれの水槽を連結パイプ１５を用いて連結することで双方の水槽は一体化する、そして水槽内部に水（他の液体も含む）を設ける。さらに、あらかじめ設けられたバルブ８と９の８をあけることで水面が発生する。などの構造の装置である。この状態では、移動物体４がうける水圧の値に対して、移動物体７のうける水圧の値が水深差ｍに示す分大きくなり、それぞれ矢印の方向ｙ、ｚの方向に移動するのである。さらに、移動は進み図Ｂに示す位置で停止する。これらの移動物体の移動作用が本動力発生方法の動力源である。
次に、この移動作用の移動の前と後での水槽内の水の量を計って、水槽の中心からの右と左を力のモーメントを用いて比べてみますと、水槽２と３は移動前も移動後も左右の重量的バランスが保たれた状態を示している。図面上部の視点ｉの右側ｈと左側ｈ〃の力のモーメントの値が同じになるのである。などの特徴をもった動力発生の方法である。また、これらの作用と機能は移動物体の形状的数値や距離ｗ、ｅ、ａ、ｆなどの数値と関連して図Ａと図Ｂの機能を構成しているのであります。同時にこれらのことは移動物体の形状的数値を変えれば、その他の数値も変わってきます。したがって、その数値的組合せは膨大な数になります。などの液体にかかる重力を利用した動力発生方法。
【請求項２】
図５は、請求項１に示した作用と機能を用いて動力の発生を連続的に行うための機械的装置であります。
左右の端部に移動物体４、５、６、７を設けた水槽２、３を連結金具１１を用いて連結する。さらに、水面を発生させるための装置であるバルブ８、９を図に示すように設置し、水槽２、３を一体化するための連結パイプ１５を設置する。そして、移動物体の移動を助けるための装置であるローラー金具１３とストッパー２２を設置するなどの構造の装置を、連結された梁１６に軸受け１８を設けた支柱１４の軸受け部分にシャフト１０をはめ込むように動設した構造の装置である。そして、水槽２、３を回転させるための外部からの力モーター１７を設置し、水槽内に水を設けたものが図５の装置である。
また、図６に示すものは、図５の平面図である。さらに、図３と４のＡ、Ｂ、Ｃ、Ｄは装置を駆動させ、動力を発生させる機械的工程及び力のモーメントの作用を示したものである。などの動力発生装置。
【発明の詳細な説明】
【０００１】
［産業上の利用分野］  この装置の動力は水車から発生するような、りっくりとした動きであります。したがって、発電機を動かす原動力に適している。
【０００２】
［従来の技術］  大量電力消費社会の現在では、電力発生に伴う公害物質の発生、を技術的に無くすることができません。したがって、地球環境において深刻な環境破壊問題を起こしております。
【０００３】
［発明が解決しょうとする課題］  動力発生に伴う公害物質の発生を、なくするのを目的に研究開発した動力発生原理であります。
【０００４】
［課題を解決するための手段］  本方法は液体がうける重力とその性質を利用した動力発生方法であります。したがって、動力発生に伴う公害物質の発生は全くありません。クリーンな動力発生方法であります。
【０００５】
［発明の作用と形態］  図１は水面１９をもった水槽２０の底部に、Ｅに示す構造の移動物体４を、水深ａに示す位置に動設する。（全ての図面の寸法線に数値が示されていますが、本方法の説明において参考のために示されたものである。）
このとき、移動物体４の一方の面積に水圧ｔをうける。さらに、もう一方の面積にも水圧ｕをうける。そして、この水圧ｔ、ｕの値は水深ａにおいて、同じ値を示すのである。つまり、移動物体４は水中内の位置で停止していることを示している。さらに、この位置を基準に上部に移動した時には全体として下向きの力をうける。また、下部に移動すると上向きの力をうける性質を示すのである。
次に、図２に示しているものは、同じ構造の移動物体４を水面１９をもつ水槽２０の上部と下部に、かつ、図に示した位置に動設したものである。
このとき、移動物体ＦとＧは距離ｖであるとき、水圧の作用で力ｓとｓ〃をうけるのである。さらに、移動物体ＨとＪは距離ｘであるとき、水圧作用で力ｒとｒ〃をうけるのである。また、距離ｗの場合を想定した場合では水中内の位置で停止を示すのである。さらに、距離ｗにおいて上下の移動物体を移動したときに使われるエネルギー量は移動に伴う抵抗量に比例したものである。また、距離ｘとｖにおいては、移動した場合に伴うエネルギー消費量はその移動作用で移動した水量に比例しているのである。（水量は下方向に移動する）
図３は、図１と２の機能及び作用を組み合わせて、動力発生の構造と原理を表した装置である。
図Ａを用いる。一方の端に移動物体４が動設され、もう一方の端に移動物体５を固定された水槽２と、同じように移動物体６、７を設けた水槽３を上下の位置ｍで連結金具１１を用いて合体する。同時に、移動物体４、７を図に示した位置にセットする。さらに、それぞれの水槽を連結パイプ１５を用いて連結することで双方の水槽は一体化する、そして、水槽内部に水（他の液体も含む）を設け、さらに、あらかじめ設けたバルブ８と９の８を開くことで水面が発生する。などの構造の装置である。（スライドシリンダー部には現在のシール技術を用いる）この状態では、移動物体４がうける水圧に対して、移動物体７のうける水圧の値の方が大きくなり、それぞれの移動物体は矢印ｙ、ｚの方向に移動を起こすのである。さらに、移動が進み図Ｂに示す位置で停止する。これらの移動物体の移動作用が本動力発生方法の動力源である。
次に、この移動作用の移動の前と後での水槽内の水の量を計って、水槽の中心からの右と左を力のモーメントを用いて比べてみますと、水槽２と３は移動前も移動後も水槽の左右の重量的バランスが保たれた状態を示している。さらに、図面上部の視点ｉの右側ｈと左側ｈ〃の力のモーメントの値が同じになるのであります。参考で示した数値から力のモーメントを用いて計算した値が水槽２、３の右側が３９２５であるのに対して左側も３９２５の値を示すのである。（数値が長くなりますので１０ｃｍを１として計算した数値です）さらに、図Ｂに示す移動後の位置においても水槽２、３の右側が３９２５であるのに対して左側も３９２５の値を示すのである。などの特徴をもった動力発生方法であります。
次に、上下に位置する移動物体４と７が移動すると同時に、かつ、液体も移動したのに左右の水槽の力のモーメントが同じになるのかを比べてみますと、まず、水槽２の場合においては、図１の移動物体の水圧的作用と、図２の、相対して動設された移動物体の距離ｘ、ｗ、ｖの水圧による作用のうち、距離ｗの作用など、連動した水圧作用と液体の移動量に関係したものである。
次に、水槽３の場合では移動物体７と６の左右の位置が中心から同じモーメント的に位置すること、さらに、水量も左右同じである。したがって、左右同じの重量的バランスのとれたシーソーと同じ作用である。
そして、この二つの作用が、移動作用の前後で逆転する。つまり、水槽２の作用が移動後では水槽３で行われ、水槽３の作用が水槽２で行われるのである。さらに、これらの作用と機能は移動物体の形状的数値や距離ｗ、ｅ、ａ、ｆなどの数値と関連して図Ａと図Ｂの機能を構成しているのであります。同時に、これらのことは移動物体の形状的数値を変えれば、その他の数値も変わってきます。したがって、その数値的組合せは膨大な数になるでしょう。
【０００６】
［実施例］  図５に表している装置は、上記に示した動力発生原理を用いて連続的に動力を発生させる装置の正面図である。
軸受け１８と水槽を回転させるための装置モーター１７を設けた梁１６が連結された支柱１４の軸受け部に、図Ａに示した水槽２、３などの装置をシャフト１０をはめ込むように動設する、などの構造の装置である。
次に、図５の装置を用いて実施をすることにします。図５の水槽部は図３のＡと同じである、したがって、図Ａを用いる。あらかじめ閉じていたバルブ８を開く、移動物体４と７は水圧の作用でそれぞれ矢印の方向に移動する。移動はさらに進み図Ｂの位置で停止する。次に、移動物体を固定するためのブレーキ装置２３を固定の位置し、同時にバルブ８を閉じる。そして、外部からの力モーター１７を用いて水槽２、３を矢印の方向に移動させる。移動はさらに進み図４のＣの位置にブレーキ装置を内蔵した軸受け１８を用いて停止する。バルブ９を開き（バルブを閉じた状態でもよいが温度変化や水漏れを考慮してバルブを使用する。）ブレーキ装置２３を開放の位置にすることで移動物体７と４は矢印の方向に移動を起こす。さらに移動は進み図Ｄの示す位置で停止する。そして、バルブ９を閉じブレーキ装置２３を固定の位置にし、軸受け内部のブレーキ装置を開放にして外部からの力モーター１７を用いて水槽２、３を矢印の方向に移動させる。移動はさらに進み、始まりの位置である図３のＡの位置で停止することで動力発生の一サイクルが終了するのであります。そして、これらの一連の運動を連続的に行うことで連続的な動力を発生させるのであります。
【０００７】
［発明の効果］  液体にかかる重力を利用した動力の発生方法は、全く新しい分野のエネルギーの発生を意味します。さらに、公害物質の発生を伴わない動力発生方法の先駆けになればと考えています。
【図面の簡単な説明】
【図１】原理を説明するための正面図
【図２】原理を説明するための正面図
【図３】動力発生方法の詳細図
【図４】動力発生方法の詳細図
【図５】連続的動力発生装置の正面図
【図６】連続的動力発生装置の平面図
【符号の説明】
１      …    液体（水）          ２      …    水槽
３      …    水槽                ４      …    移動物体
５      …    移動物体            ６      …    移動物体
７      …    移動物体            ８      …    バルブ
９      …    バルブ            １０      …    シャフト
１１      …    連結金具          １２      …    スライドシリンダー
１３      …    ローラー金具      １４      …    支柱
１５      …    連結パイプ        １６      …    連結金具
１７      …    モーター          １８      …    ブレーキ装置、軸受け
１９      …    水面              ２０      …    水槽
２１      …    気体（空気）      ２２      …    ストッパー
２３      …    ブレーキ装置
ａ、ａ〃  …    距離              ｂ、ｃ、ｄ、…    距離
ｅ、ｅ〃  …    距離              ｆ、ｈ、ｈ〃…    距離
ｉ        …    基準点            ｋ、ｎ、ｐ  …    距離
ｒ、ｓ、ｔ…    距離              ｕ、ｖ、ｗ  …    距離
ｘ、ｙ、ｚ…    距離
【図１】
2004360665.tif 000003
【図２】
2004360665.tif 000004
【図３】
2004360665.tif 000005
【図４】
2004360665.tif 000006
【図５】
2004360665.tif 000007
【図６】
2004360665.tif 000008